(57)【要約】【課題】設置面積の省スペース化、特に横方向についての省スペース化を可能とする現金自動取扱装置の提供。【解決手段】現金自動取扱装置は、紙幣類を取り扱う紙幣用サブユニットと硬貨類を取り扱う硬貨用サブユニットからなる現金取扱ユニット２を備えている。そしてその紙幣用サブユニットは紙幣スロット１２と紙幣収納部１７を含み、また硬貨用サブユニットは硬貨スロット２１と硬貨収納部２３を含んでいる。このような現金自動取扱装置において、紙幣収納部と硬貨収納部を上下方向に重ねて配置するか、または前後方向に並べて配置するようにしており、このような配置とすることで、設置面積の省スペース化、特に横方向についての省スペース化を可能としている。【選択図】        図２
2004280226.tif 000002
【特許請求の範囲】
【請求項１】
紙幣類を取り扱う紙幣用サブユニットと硬貨類を取り扱う硬貨用サブユニットからなる現金取扱ユニットを備え、前記紙幣用サブユニットは紙幣スロットと紙幣収納部を含み、また前記硬貨用サブユニットは硬貨スロットと硬貨収納部を含んでいる現金自動取扱装置において、
前記紙幣収納部と前記硬貨収納部が上下方向に重ねて配置されるか、または前後方向に並べて配置されていることを特徴とする現金自動取扱装置。
【請求項２】
前記紙幣収納部と前記硬貨収納部を上下方向に重ねて配置するとともに、前記硬貨収納部を前記紙幣収納部よりも上側に配置した請求項１に記載の現金自動取扱装置。
【請求項３】
前記紙幣収納部と前記硬貨収納部を前後方向に並べて配置するとともに、前記硬貨収納部を前記紙幣収納部よりも前側に配置した請求項１に記載の現金自動取扱装置。
【請求項４】
前記紙幣スロットと前記硬貨スロットを一つの紙幣硬貨兼用スロットとして形成してある請求項１〜請求項３のいずれか１項に記載の現金自動取扱装置。
【請求項５】
前記硬貨収納部と前記紙幣収納部の内蔵部位を防護壁で囲んである請求項１〜請求項４のいずれか１項に記載の現金自動取扱装置。
【発明の詳細な説明】
【０００１】
【発明の属する技術分野】
本発明は、紙幣やチケットあるいはプリペイドカードなどの紙幣の類と一般的な硬貨の類を取り扱う現金自動取扱装置に関する。
【０００２】
【従来の技術】
紙幣類や硬貨類を取り扱う現金自動取扱装置（ＡＴＭ）は、一般的に、紙幣類を取り扱う紙幣類用のサブユニットと硬貨類を取り扱う硬貨類用のサブユニットからなる現金取扱ユニット、利用者が必要な情報を入力したり、利用者に必要な情報を提示したりするための表示入力ユニット、例えば磁気カードやＩＣカードなどの認証媒体により利用者の認証などを行なうための認証ユニット、ホストコンピュータなどとの通信を行なうための通信ユニット、それにこれら各ユニットの制御のための制御ユニットを主な要素としている（例えば特許文献１や特許文献２）。そして従来の現金自動取扱装置では、特許文献１や特許文献２に開示される例に代表されるように、現金取扱ユニットを構成する紙幣用サブユニット（特許文献１では「紙幣入出金ユニット」）と硬貨用サブユニット（特許文献１では「硬貨入出金ユニット」）が現金自動取扱装置の横幅方向で並列させて配置されている。
【０００３】
【特許文献１】
特開２０００−２６８２５８号公報（段落００２０〜００２４、図１）
【特許文献２】
特開２００１−７６２０６号公報（図４）
【０００４】
【発明が解決しようとする課題】
近年、現金自動取扱装置は金融機関の店舗内だけでなく、コンビニやスーパのような小売店舗あるいは駅などのように多くの人の出入りのある様々な場所に設置されるようになってきている。そしてこうした趨勢に伴って、現金自動取扱装置に対し、その設置面積の省スペース化が強く求められるようになってきている。特に、例えば小売店舗や駅などにあってはそのスペースの一般的な利用構造から、現金自動取扱装置の設置に際してその横方向の幅に対する省スペース化が望まれている。しかしながら従来の現金自動取扱装置はこうした要求に対して応えることが困難である。すなわち、従来の現金自動取扱装置は上記のようにその現金取扱ユニットの紙幣用サブユニットと硬貨用サブユニットが横幅方向で並列させて配置されている。このため紙幣用サブユニットと硬貨用サブユニットそれぞれの最大横幅サイズ部分の横幅サイズをＷｍ１とＷｍ２とすると、現金自動取扱装置全体の横幅サイズＷｔは、Ｗｔ＝Ｗｍ１＋Ｗｍ２＋αとならざるをえず、横方向の幅に対する省スペース化に限界があった。
【０００５】
またこの横方向省スペース化については、紙幣用サブユニットと硬貨用サブユニットそれぞれの入出金口、つまり紙幣入出金口（紙幣スロット）と硬貨入出金口（硬貨スロット）の構造も関係している。すなわち従来の現金自動取扱装置では、上記特許文献１や特許文献２に開示の例に代表されるように、紙幣入出金口と硬貨入出金口が、上述の紙幣用サブユニットと硬貨用サブユニットの横幅方向並列配置とも関係して、現金自動取扱装置の横幅方向で並列させて別々に設けられている。このため利用者が現金の入出金操作などを行なう顧客操作部の横幅サイズの抑制に限界があり、このことも横方向省スペース化を阻害する要因となっていた。
【０００６】
本発明は、以上のような従来の現金自動取扱装置に対する分析に基づいてなされたものであり、設置面積の省スペース化、特に横方向についての省スペース化を可能とする現金自動取扱装置の提供を目的としている。
【０００７】
【課題を解決するための手段】
上記目的を達成するために本発明では、紙幣類を取り扱う紙幣用サブユニットと硬貨類を取り扱う硬貨用サブユニットからなる現金取扱ユニットを備え、前記紙幣用サブユニットは紙幣スロットと紙幣収納部を含み、また前記硬貨用サブユニットは硬貨スロットと硬貨収納部を含んでいる現金自動取扱装置において、前記紙幣収納部と前記硬貨収納部が上下方向に重ねて配置されるか、または前後方向に並べて配置されていることを特徴としている。
【０００８】
また本発明では上記のような現金自動取扱装置について、前記紙幣収納部と前記硬貨収納部を上下方向に重ねて配置するとともに、前記硬貨収納部を前記紙幣収納部よりも上側に配置するようにしている。
【０００９】
また本発明では上記のような現金自動取扱装置について、前記紙幣収納部と前記硬貨収納部を前後方向に並べて配置するとともに、前記硬貨収納部を前記紙幣収納部よりも前側に配置するようにしている。
【００１０】
また本発明では上記のような現金自動取扱装置について、前記紙幣スロットと前記硬貨スロットを一つの紙幣硬貨兼用スロットとして形成するようにしている。
【００１１】
また本発明では上記のような現金自動取扱装置について、前記硬貨収納部と前記紙幣収納部の内蔵部位を防護壁で囲むようにしている。
【００１２】
【発明の実施の形態】
以下、本発明の実施の形態について説明する。図１〜図３に、第１の実施形態による現金自動取扱装置の構造の概略を示す。ここで、図１中に示してある矢印Ｘ、Ｙ、Ｚは、現金自動取扱装置１に関する方向関係を表しており、Ｘは前後方向（奥行方向）、Ｙは横幅方向、そしてＺは上下方向である。
【００１３】
現金自動取扱装置１は、現金取扱ユニット２、表示入力ユニット、認証ユニット、通信ユニットおよび制御ユニットを主な要素としている。現金取扱ユニット２は、紙幣やチケットあるいはプリペイドカードなど紙幣の類と一般的な硬貨の類を取り扱うためのユニットであり、後述する紙幣用サブユニットと硬貨用サブユニットからなる。図１と図３中では現金取扱ユニットの外観を点線で示し、図２にはその全体的な構造を簡略化して示してある。表示入力ユニットは、利用者が必要な情報を入力したり、利用者に必要な情報を提示したりするためのユニットである。この表示入力ユニットについては、図１と図３中にその表示入力部３だけを示し、その他の部分の図示は省略してある。認証ユニットは、例えば磁気カードやＩＣカードなどの認証媒体により利用者の認証などを行なうためのユニットである。この認証ユニットについても、図１と図３中にその認証媒体読取部４だけを示し、その他の部分の図示は省略してある。通信ユニットは、ホストコンピュータなどとの通信を行なうためのユニットであり、本実施形態では無線通信方式としてある。この通信ユニットについては、図１中にその例えば赤外線などによる無線通信送受信部５３だけを示し、その他の部分の図示は省略してある。制御ユニットは、上記各ユニットの制御などを行なうためのユニットであり、例えばマイクロコンピュータなどが用いられる。この制御ユニットの図示は省略してある。なお、本実施形態では、認証ユニットがカード型の認証媒体を読み取る例としてあるが、この他にも例えば預金通帳などに対する読取りや書込みをなせるように認証ユニットを構成する場合もある。
【００１４】
以下では現金取扱ユニット２の具体的構成について説明する。現金取扱ユニット２は、紙幣類Ｐを取り扱う紙幣用サブユニットと硬貨類を取り扱う硬貨用サブユニットからなる。まず紙幣用サブユニットについて説明する。紙幣用サブユニットは、紙幣類の入出金口となる紙幣スロット１２、紙幣類の搬送を行なう紙幣搬送路１３、紙幣類の情報を読み取る読取部１４、紙幣搬送路１３の接続状態を切り替えて紙幣類の搬送方向を変換するゲート１５、１回の入出金操作で取り扱われる範囲で紙幣類を一時的に保管する一時保管庫１６、および紙幣類Ｐを収納したり放出したりする紙幣収納部１７を主な要素としている。その読取部１４には、例えばＣＣＤセンサなどを用いて紙幣類の図柄や文字などの情報を光学的に情報を読み取る方式、紙幣類に記録されている磁気情報を磁気センサで読み取る方式、あるいは紙幣類の厚さ情報を距離センサで読み取る方式などを適宜に選択して用いることができ、必要に応じて複数の方式を組み合わせて用いる場合もある。また紙幣収納部１７は、複数の金庫で構成されるのが通常で、図の例では３個の金庫１７ａ、１７ｂ、１７ｃからなっている。例えば、金庫１７ａは紙幣スロット１２から利用者により入金された紙幣類Ｐを収納するのみの入金専用の金庫であり、金庫１７ｂはこれに予め収納しておいた紙幣類Ｐを放出するのみの出金専用の金庫であり、金庫１７ｃは利用者により投入されて一旦収納した紙幣類Ｐを再度出金に使用できる還流用の金庫である。なお図の例の金庫１７ａ、１７ｂ、１７ｃは、紙幣類Ｐを立位に、すなわち現金自動取扱装置１の設置面に対して垂直な姿勢で重ねて収納するタイプである。この他に、後述する例のように紙幣類Ｐを設置面に対して平行な姿勢で重ねて収納するタイプの金庫とすることもできる。
【００１５】
図４に紙幣スロット１２の具体的な構成の一例を示す。紙幣スロット１２は、紙幣類の入出金口であり、利用者が入金する場合には紙幣類が束状に重ねられてそこに投入されるので、この束状の紙幣類Ｐを１枚ずつに分離して紙幣搬送路１３へ送り出す機能を負い、一方利用者に対して紙幣類を出金する場合には紙幣搬送路１３から１枚ずつ送られる紙幣類Ｐを束状に重ねて集積して利用者に受け渡す機能を負っている。
【００１６】
紙幣スロット１２は、その出入口を開閉するシャッタ１１を有している。また紙幣スロット１２は、前板１０１、中板１０２および底板１０３で囲われた空間を有しており、この空間に紙幣を投入できるようにされている。すなわち入金しようとする場合には利用者はシャッタ１１が開いた状態で紙幣スロット１２内の前記空間に紙幣類Ｐを束状に重ねて投入する。投入され束状の紙幣類Ｐは、ピックアップローラ１０４、フィードローラ１０５およびリバースローラ１０６により、１枚ずつに分離して紙幣搬送路１３へ送り出される。この紙幣類Ｐの送出には、中板１０２と前板１０１も関与する。すなわち中板１０２は、図示を省略してあるモータなどの駆動源により矢印Ａのごとき前後動できるようにされており、その前進動で中板１０２が束状の紙幣類Ｐを押す。一方、前板１０１は揺動可能にされており、中板１０２で押された束状の紙幣類Ｐにより押され、一点鎖線で示す位置へ移動する。そして、これらの一連の動作により紙幣取り込み口となるフィードローラ１０５とリバースローラ１０６へ紙幣類Ｐが到達できることになる。
【００１７】
出金のために紙幣類を集積する場合には、紙幣搬送路１３で搬送されて来た紙幣類を紙幣搬送路１３からシートローラ１０８とスタックローラ１０９で取り込む。取り込まれた紙幣類は中板１０２と後板１０７との間に放出され、その放出された紙幣類がシートローラ１０８により中板１０２へ順次押し付けられることで束状に重ねて集積される。なお、図示は省略してあるが、シートローラ１０８の外周には可撓性のあるシート状のブレード片が設けられており、このブレード片により紙幣類の中板１０２への押付けがなされるようになっている。
【００１８】
図５に底板１０３の具体的な構造の一例を示す。この例の底板１０３では、紙幣類Ｐに当接する面に貫通孔Ｈと補強用の  リブＲが設けられている。利用者が紙幣類を投入するときには押板１０１が図４に実線で示す位置にあり、紙幣類はその下端が底板１０３上に乗るように導かれる。貫通孔Ｈは、紙幣類に混入した硬貨を排除するのに機能する。すなわち投入された紙幣類に硬貨類が混入していた場合には、それが貫通孔Ｈから落下して受け皿１１０で受け止められ、さらに排出路１１１へ受け渡される。排出路１１１は後述する硬貨ホルダ２５に接続しており、排出路１１１へ受け渡された硬貨類は硬貨ホルダ２５に排出される。
【００１９】
以上のような紙幣用サブユニットにおける紙幣類Ｐの入出金の流れは概略以下の通りである。入金の場合は、まず紙幣スロット１２に束状の紙幣類Ｐが利用者により投入される。それから紙幣スロット１２が紙幣類を１枚ずつ分離して紙幣搬送路１３へ送り出す。紙幣搬送路１３へ送り出された紙幣類は読取部１４を通過する。その際に読取部１４が紙幣類の情報を読み取って、取扱の可否と金種を判断するとともに、取扱可の紙幣類の枚数を計数する。取扱可の紙幣類は一時保管庫１６へ収納し、取扱否の紙幣類は紙幣スロット１２へ返却する。紙幣類の枚数を計数した結果は表示入力部３に表示され、それに対する利用者の確認がなされた後、一時保管庫１６から紙幣類を紙幣搬送路１３へ送り出す。一時保管庫１６から送り出された紙幣類は、読取部１４で再度金種と劣化度合いを確認され、その結果に応じて金庫１７ａ、１７ｂ、１７ｃの何れかへ収納される。金庫１７ａ、１７ｂ、１７ｃへの分類収納には、金庫１７ａ、１７ｂ、１７ｃごとに設けられているゲート１５が機能する。
【００２０】
一方、出金の場合は、金庫１７ｂと１７ｃの何れかより紙幣類を取り出し、読取部１４で紙幣類の出金可否を判断する。出金可の紙幣類は紙幣スロット１２へ集積し、出金不可の紙幣類は一時保管庫１６へ集積した後、リジェクト紙幣用でもある例えば金庫１７ａへ収納する。
【００２１】
ここで、本実施形態では、以上のような動作を実現するために、紙幣搬送路１３の大部分を現金自動取扱装置１の前面側に配置してある。またこのように現金自動取扱装置１の前面側に紙幣搬送路１３を配置した関係で、硬貨入金路２２や硬貨出金路２４は紙幣搬送路１３との干渉を避けるようにしてその側方に設けてある。
【００２２】
次に、硬貨用サブユニットについて説明する。硬貨用サブユニットは、硬貨類の入金口となる硬貨スロット２１、硬貨スロット２１から硬貨類を取り込む硬貨入金路２２、硬貨入金路２２で取り込んだ硬貨の金種選別と計数をなして収納し、また必要な硬貨類の払出を行なう硬貨収納部である硬貨収納モジュール２３、硬貨収納モジュール２３からの硬貨類の出金に用いられる硬貨出金路２４、および硬貨類の出金口となる硬貨ホルダ２５を主な要素としている。なお、この例では硬貨類の入金と出金を硬貨スロット２１と硬貨ホルダ２５で別々に行なう構成としてあるが、これに代えて、硬貨入金路２２を反転可能とすることにより、硬貨スロット２１だけで硬貨類の入出金を行なえるような構成とすることも可能である。
【００２３】
図６に硬貨収納モジュール２３の具体的な構造の一例を示す。この例の硬貨収納モジュール２３は、硬貨分離部２０１、第１の硬貨搬送路２０３、硬貨判別器２０４、複数の収納筒２０６ａ〜２０６ｉからなる収納筒セット２０６、収納筒２０６ａ〜２０６ｉごとに設けられている第１の切替器２０５、バイパス搬送路２０８、第２の硬貨搬送路２０９、第２の切替器２１０、還流搬送路２１１などを主な要素としてなっている。ただ硬貨収納モジュール２３の主体となるのは、実質的な収納部を形成する収納筒セット２０６であり、その他の要素はこの収納筒セット２０６の周辺要素である。すなわち本実施形態では硬貨収納モジュール２３が実質上の硬貨収納部となっている。この硬貨収納モジュール２３の硬貨分離部２０１には上記の硬貨スロット２１が硬貨入金路２２を介して接続している。また第２の硬貨搬送路２０９には上記の硬貨出金路２４が接続し、この硬貨出金路２４の先に上記の硬貨ホルダ２５が接続している。
【００２４】
硬貨分離部２０１は、平たい円筒体２０１ｐを有しており、この円筒体２０１ｐの底面部にモータ２０２ｍで駆動される回転板２０２が設けられている。そして硬貨スロット２１から硬貨入金路２２を介して硬貨分離部２０１に取り込まれた硬貨類は回転板２０２で円筒体２０１ｐの外周側へ付勢され、円筒体２０１ｐに設けられている図示せぬ隙間から１枚ずつ第１の硬貨搬送路２０３に送り出される。硬貨搬送路２０３に送り出された硬貨類は、硬貨判別器２０４にてその正否や金種が判別され、また枚数が計数される。正しい硬貨類であると判断されたものは、第１の切替器２０５により第１の硬貨搬送路２０３から押し出されて収納筒２０６ａ〜２０６ｉの何れかに集積される。出金の場合には、収納筒２０６ａ〜２０６ｉの何れかより、収納筒２０６ａ〜２０６ｉのそれぞれに設けられている硬貨ラッチ２０７にて１枚ずつ硬貨類が取り出され、第２の硬貨搬送路２０９で搬送され、硬貨出金路２４を通って硬貨ホルダ２５へ送り出される。
【００２５】
硬貨判別器２０４において正しい硬貨類ではないと判断されたものは、第１の硬貨搬送路２０３、バイパス搬送路２０８、第２の硬貨搬送路２０９の順で搬送されて硬貨出金路２４から硬貨ホルダ２５へ排出される。なお再度の判別が必要とされた硬貨類は、第２の切替器２１０により還流搬送路２１１へ送られて硬貨分離部２０１へ投入された後、再度硬貨判別器２０４による判別を受ける。
【００２６】
以上のような紙幣用サブユニットと硬貨用サブユニットからなる現金取扱ユニット２は、図２と図３に見られるように、紙幣用サブユニットの紙幣収納部１７と硬貨用サブユニットの硬貨収納部である硬貨収納モジュール２３がと現金自動取扱装置１の上下方向（図１中の矢印Ｚ方向）で重ねて配置されている。つまり紙幣収納部１７の上下方向の中心軸が硬貨収納モジュール２３を通り、かつ硬貨収納モジュール２３の上下方向の中心軸が紙幣収納部１７を通る状態にして紙幣収納部１７と硬貨収納モジュール２３が配列されている。このため、現金自動取扱装置１の全体的な横幅方向（図１中の矢印Ｙ方向）のサイズ、つまり横幅サイズをＷｔ（図３）、紙幣収納部１７の横幅サイズをＷａ、硬貨収納モジュール２３の横幅サイズをＷｂとして、Ｗｔ≪Ｗａ＋ＷｂないしＷｔ＜Ｗａ＋Ｗｂとなっており、従来の現金自動取扱装置に較べて横幅サイズを大幅に小さくすることができる。したがって設置面積の省スペース化、特に横方向についての大幅な省スペース化が可能となる。
【００２７】
また紙幣収納部１７と硬貨収納モジュール２３を上下方向の重ね配置とするについて、硬貨収納モジュール２３を上側に配置している。このような配置は以下の理由から好ましいものとなる。紙幣類は柔軟なためにベルトやローラにより挟持して搬送できるのに対し、硬貨類は硬くて屈曲できないためベルトコンベアなどに載せて搬送しなければならないという搬送条件の違い、それに硬貨類は紙幣類より重いために搬送路における加減速、特に減速負荷が大きいことから、一般的に硬貨類の方が紙幣類よりも低速で搬送する必要がある。したがって、硬貨収納モジュール２３を紙幣収納部１７の上側に配置することで、硬貨類の硬貨スロット２１から硬貨収納モジュール２３への搬送距離を紙幣類の紙幣スロット１２から紙幣収納部１７への搬送距離よりも短くすることが、現金自動取扱装置１における硬貨類と紙幣類の取扱処理の平均時間を短くする上で有利ということになる。
【００２８】
図７〜図９に第２の実施形態による現金自動取扱装置の構造の概略を示す。本実施形態における現金自動取扱装置１００は、第１の実施形態における現金自動取扱装置１に若干の変更を加えた例である。その変更とは、現金取扱ユニット２ａにおける紙幣用サブユニットの入金スロット１２と一時保管庫１６とを密接状態にして設けるようにしたことである。このような入金スロット１２と一時保管庫１６の配置形態における紙幣類Ｐの入出金の流れは概略以下の通りである。入金の場合は、まず紙幣スロット１２から紙幣を１枚ずつ取り込み、紙幣搬送路１３へ送り出す。紙幣搬送路１３へ送り出された紙幣類は読取部１４を通過する。その際に読取部１４が紙幣類の情報を読み取って、取扱の可否と金種を判断するとともに、取扱可の紙幣類の枚数を計数する。取扱可の紙幣類は一時保管庫１６へ収納し、取扱否の紙幣類は紙幣スロット１２へ返却する。紙幣類の枚数を計数した結果は表示入力部３に表示される。それに対する利用者の確認がなされると、一時保管庫１６の紙幣類は一旦紙幣スロット１２へ移載された後にそこから再度紙幣搬送路１３へ送り出され、読取部１４において再度金種と紙幣類の劣化度合いを確認され、その結果に応じて金庫１７ａ、１７ｂ、１７ｃの何れかへ収納される。すなわち基本的には第１の実施形態の場合と同様で、一時保管庫１６から紙幣スロット１２への移載を経て紙幣収納部１７への収納がなされるという点で相違している。
【００２９】
一方、出金の場合は、金庫１７ｂと１７ｃの何れかより紙幣類を取り出し、読取部１４で紙幣類の出金可否を判断する。出金可の紙幣類は紙幣スロット１２へ集積し、出金不可の紙幣類は一時保管庫１６へ集積した後に紙幣スロット１２へ移載してからリジェクト紙幣用の金庫１７ａへ収納する。この場合も同様に、出金不可の紙幣類の紙幣収納部１７への収納に際して一時保管庫１６から紙幣スロット１２への移載を経るという点でのみ第１の実施形態と相違している。
【００３０】
本実施形態における入金スロット１２と一時保管庫１６との密接状態配置によると、以下のような利点が得られる。まず、現金自動取扱装置１００の全体的な横幅サイズを小さくすることが可能となる。すなわち、紙幣搬送路１３の大部分を現金自動取扱装置１００の背面側に配置することができ、このことで紙幣搬送路１３による干渉がなくなるので、硬貨入金路２１と硬貨出金路２４を現金自動取扱装置１００の前面側において中央部に寄せて配置することができ、したがって図７や図９に見られるように、硬貨ホルダ２５を現金自動取扱装置１００の前面の中央部に設けることができ、また硬貨スロット２１も現金自動取扱装置１００の前面側において中央部に寄せて設けることができるようになる。その結果、現金自動取扱装置１００の全体的な横幅サイズを小さくすることができる。また、
入金スロット１２と一時保管庫１６との密接状態配置により、現金自動取扱装置１００の奥行方向（図７中の矢印Ｘ方向）のサイズを小さくすることが可能となる。本実施形態におけるその他の構成などは第１の実施形態における現金自動取扱装置と基本的に同様なのでそれらについての説明は省略する。
【００３１】
図１０と図１１に第３の実施形態による現金自動取扱装置の構造の概略を示す。本実施形態における現金自動取扱装置２００は、現金取扱ユニット２ｂにおける紙幣用サブユニットの紙幣スロット１２に硬貨類の入金機能も負わせた構成となっている。つまり紙幣スロット１２は、紙幣硬貨兼用スロットとして構成されている。具体的には、第１の実施形態に関して説明した図５の底板１０３における貫通孔Ｈを利用して硬貨類の入金を紙幣スロット１２で行なえるようにしている。すなわち硬貨類を紙幣スロット１２に投入すると、その硬貨類は図５の底板１０３における貫通孔Ｈを通って落下する。図１１に見られるように、紙幣スロット１２にはその下側には硬貨収納モジュール２３ａの硬貨分離部２０１が密接するようにして設けられている。したがって貫通孔Ｈを通って落下した硬貨類は直接的に硬貨分離部２０１に入る。第１の実施形態に関して説明したような処理を硬貨分離部２０１において受けた硬貨類は、硬貨入金路２２ａを通って図６における第１の硬貨搬送路２０３に受け渡され、以降は第１の実施形態に関して説明したのと同様な処理を受ける。なお、本実施形態では貫通孔Ｈを通って落下した硬貨類が直接的に硬貨分離部２０１に入る構成としているが、これに代えて、図５の底板１０３における排出路１１１を介して硬貨類を硬貨分離部２０１に送り込む構成とすることも可能である。
【００３２】
本実施形態のように紙幣スロット１２に硬貨類の入金機能も負わせて紙幣硬貨兼用スロットとすることにより、第１の実施形態や第２の実施形態における硬貨スロット２１を省くことができ、現金自動取扱装置の横幅サイズをさらに一層小さくすることが可能となる。また紙幣硬貨兼用スロットとすることは、利用者の利便性も高める。ここで、紙幣スロット１２を紙幣硬貨兼用スロットとする構成は、紙幣収納部と硬貨収納部を上下方向で重ねて配置するか、または後述する実施形態におけるように、前後方向に並べて配置する構成を前提にして初めて実用的に可能となるものである。すなわち、一つの紙幣硬貨兼用スロットで紙幣類と硬貨類を受け入れるようにした場合における紙幣類や硬貨類の搬送方向の問題を紙幣収納部と硬貨収納部の上下重ね配置または前後並び配置により回避することができる。より具体的には、従来の現金自動取扱装置のように紙幣収納部と硬貨収納部が現金自動取扱装置の横幅方向に並ぶ配置であると、一つの紙幣硬貨兼用スロットで受け入れた紙幣類と硬貨類をそれぞれの収納部に搬送するのに、紙幣類と硬貨類の何れかの搬送について必ず現金自動取扱装置の横幅方向に向けての搬送を必要とすることになる。しかるに、現金自動取扱装置で一般的に用いられる紙幣類や硬貨類の搬送機構は現金自動取扱装置の横幅方向での搬送には不向きであり、横方向搬送を介在させることは実用的でない。これに対して、本発明のように紙幣収納部と硬貨収納部を上下重ね配置または前後並び配置とすれば、一つの紙幣硬貨兼用スロットで受け入れた紙幣類と硬貨類をそれぞれの収納部に搬送するのに横方向搬送を介在させる必要がなく、したがって紙幣硬貨兼用スロットを実用的に可能とすることができる。本実施形態におけるその他の構成などは第１の実施形態や第２の実施形態における現金自動取扱装置と基本的に同様なのでそれらについての説明は省略する。
【００３３】
図１２に示すのは、上下方向に細長くなる構造、つまり縦長に形成した硬貨収納モジュール２３ｂの例である。すなわち収納筒セット２０６ｂの高さを図６の硬貨収納モジュール２３におけるそれより高くするとともに、収納筒セット２０６ｂを形成する収納筒の本数を少なくしている。図の例では収納筒２０６ａ〜２０６ｄの４本としている。このような構成とすることにより、取り扱える硬貨類の種類は減少するが、その一方で１種類あたりの収納枚数を増加させることができる。したがって取り扱う必要のある硬貨類の種類が少ない場合に適している。
【００３４】
図１３に、図１２の硬貨収納モジュール２３ｂを用いた第４の実施形態による現金自動取扱装置の現金取扱ユニット２ｃの構成を示す。本実施形態では、硬貨収納モジュール２３ｂが縦長であることから、硬貨収納モジュール２３ｂを縦置きにし、この硬貨収納モジュール２３ｂと紙幣収納部１７を前後方向（奥行方向）に並べ配置してある。つまり紙幣収納部１７の前後方向の中心軸が硬貨収納モジュール２３ｂを通り、かつ硬貨収納モジュール２３ｂの前後方向の中心軸が紙幣収納部１７を通る状態にして紙幣収納部１７と硬貨収納モジュール２３ｂを配列してある。このような前後並び配置の場合にも、第１の実施形態に関して説明した上下重ね配置の場合と同様に、現金自動取扱装置の全体的な横幅サイズを従来の現金自動取扱装置に較べて大幅に小さくすることができ、したがって設置面積の省スペース化、特に横方向についての大幅な省スペース化が可能となる。
【００３５】
また本実施形態では、硬貨収納モジュール２３ｂと紙幣収納部１７を前後並び配置とするについて、硬貨収納モジュール２３ｂを前面側に配置している。これは、第１の実施形態における紙幣収納部１７と硬貨収納モジュール２３の上下方向重ね配置に関して説明した紙幣類と硬貨類の搬送性に関係しており、硬貨収納モジュール２３ｂを紙幣収納部１７の前側に配置することで、硬貨類の搬送距離を紙幣類の搬送距離よりも短くすることを意図したものである。本実施形態におけるその他の構成などは第３の実施形態におけるのと基本的に同様なのでその説明は省略する。
【００３６】
図１４に、図１２の硬貨収納モジュール２３ｂを用いた第５の実施形態による現金自動取扱装置の現金取扱ユニット２ｄの構成を示す。本実施形態は第４の実施形態（図１３）の変形例で、紙幣収納部１７における金庫１７ａ、１７ｂ、１７ｃを縦置きにしている。したがって紙幣類は、上記各実施形態では設置面に対して垂直の姿勢で収納されていたのと異なり、設置面に対して水平の姿勢で金庫１７ａ、１７ｂ、１７ｃに収納されることになる。本実施形態におけるその他の構成などは第４の実施形態におけるのと基本的に同様なのでその説明は省略する。
【００３７】
図１５に、第６の実施形態による現金自動取扱装置の現金取扱ユニット２ｅの構成を示す。本実施形態は、第３の実施形態（図１０、図１１）の変形例で、横置きにした図６の硬貨収納モジュール２３と金庫１７ａ、１７ｂ、１７ｃ、１７ｄを縦置きにした紙幣収納部１７とが上下重ね配置にされている。本実施形態におけるその他の構成などは第３の実施形態におけるのと基本的に同様なのでその説明は省略する。
【００３８】
図１６に、第７の実施形態による現金自動取扱装置の現金取扱ユニット２ｆの構成を示す。本実施形態も第３の実施形態の変形例で、硬貨収納モジュール２３と紙幣収納部１７が内蔵されている部分の周囲を強固な防護壁３０で囲った構成としてある。このような防護壁３０を設けることにより、硬貨収納モジュール２３ａと紙幣収納部１７の防護性を高めることができる。本実施形態におけるその他の構成などは第３の実施形態におけるのと基本的に同様なのでその説明は省略する。
【００３９】
図１７に、第８の実施形態による現金自動取扱装置の現金取扱ユニット２ｇの構成を示す。本実施形態は第４の実施形態（図１３）の変形例で、横置きの金庫１７ａ、１７ｂ、１７ｃ、１７ｄからなる紙幣収納部１７に横置きの金庫１７ｅ〜１７ｈからなる紙幣収納部１７ｐを前後並びで増設した構成としてある。このようにすることにより、紙幣類の取扱量を多くすることができる。ただその一方で現金自動取扱装置の奥行方向のサイズは大きくなる。したがって、設置スペースとして奥行方向に余裕のある条件の場合に適する。本実施形態におけるその他の構成などは第４の実施形態におけるのと基本的に同様なのでその説明は省略する。
【００４０】
図１８に、第９の実施形態による現金自動取扱装置の現金取扱ユニット２ｈの構成を示す。本実施形態は第５の実施形態（図１４）の変形例で、縦置きの金庫１７ａ、１７ｂ、１７ｃからなる紙幣収納部１７に縦置きの金庫１７ｄ〜１７ｆからなる紙幣収納部１７ｑを前後並びで増設した構成としてある。この場合も紙幣類の取扱量を多くすることができる一方で、現金自動取扱装置の奥行方向のサイズは大きくなり、したがって、設置スペースとして奥行方向に余裕のある条件の場合に適する。本実施形態におけるその他の構成などは第５の実施形態におけるのと基本的に同様なのでその説明は省略する。
【００４１】
【発明の効果】
以上説明したように本発明では、紙幣収納部と硬貨収納部を上下方向で重ねて配置するか、または前後方向で並べて配置するようにしている。このため本発明によれば、現金自動取扱装置の全体的な横幅サイズを従来の現金自動取扱装置のそれに較べて大幅に小さくすることができ、したがって設置面積の省スペース化、特に横方向についての大幅な省スペース化が可能となる。
【図面の簡単な説明】
【図１】第１の実施形態による現金自動取扱装置の斜め上方向から見た外観構造を簡略化して示す図である。
【図２】図１の現金自動取扱装置の一部を省略してその内部における現金取扱ユニットの構造を簡略化して示す図である。
【図３】図１の現金自動取扱装置をその前面側から見た側面構造を簡略化して示す図である。
【図４】紙幣スロットの具体的な構造例の一つを示す図である。
【図５】図４の紙幣スロットにおける底板の構造例の一つを示す図である。
【図６】硬貨収納モジュールの具体的な構造例の一つを示す図である。
【図７】第２の実施形態による現金自動取扱装置の斜め上方向から見た外観構造を簡略化して示す図である。
【図８】図７の現金自動取扱装置の一部を省略してその内部における現金取扱ユニットの構造を簡略化して示す図である。
【図９】図７の現金自動取扱装置をその前面側から見た側面構造を簡略化して示す図である。
【図１０】第３の実施形態による現金自動取扱装置の斜め上方向から見た外観構造を簡略化して示す図である。
【図１１】図７の現金自動取扱装置の一部を省略してその内部における現金取扱ユニットの構造を簡略化して示す図である。
【図１２】硬貨収納モジュールの具体的な構造例の他の一つを示す図である。
【図１３】第４の実施形態による現金自動取扱装置における現金取扱ユニットの構造を簡略化して示す図である。
【図１４】第５の実施形態による現金自動取扱装置における現金取扱ユニットの構造を簡略化して示す図である。
【図１５】第６の実施形態による現金自動取扱装置における現金取扱ユニットの構造を簡略化して示す図である。
【図１６】第７の実施形態による現金自動取扱装置における現金取扱ユニットの構造を簡略化して示す図である。
【図１７】第８の実施形態による現金自動取扱装置における現金取扱ユニットの構造を簡略化して示す図である。
【図１８】第９の実施形態による現金自動取扱装置における現金取扱ユニットの構造を簡略化して示す図である。
【符号の説明】
１  現金自動取扱装置
２  現金取扱ユニット
１２  紙幣スロット
１７  紙幣収納部
２１  硬貨スロット
２３  硬貨収納モジュール（硬貨収納部）
【図１】
2004280226.tif 000003
【図２】
2004280226.tif 000004
【図３】
2004280226.tif 000005
【図４】
2004280226.tif 000006
【図５】
2004280226.tif 000007
【図６】
2004280226.tif 000008
【図７】
2004280226.tif 000009
【図８】
2004280226.tif 000010
【図９】
2004280226.tif 000011
【図１０】
2004280226.tif 000012
【図１１】
2004280226.tif 000013
【図１２】
2004280226.tif 000014
【図１３】
2004280226.tif 000015
【図１４】
2004280226.tif 000016
【図１５】
2004280226.tif 000017
【図１６】
2004280226.tif 000018
【図１７】
2004280226.tif 000019
【図１８】
2004280226.tif 000020